(57)【要約】【課題】タイルを躯体床から容易に取り外すことができるタイルの取り外し方法を提供する。【解決手段】躯体床１上に複数枚のシート片２が敷き並べられている。接着部材６によって躯体床１とシート片２とが点付け接着されている。シート片２の上にタイル４が敷設され、タイル４の目地間隙に目地材５が充填されている。接着部材３によってシート片２とタイル４とが点付け接着されている。躯体床１からタイル４を取り外すには、必要に応じて１枚のシート片２の端部にあるタイル４をシート片２から取り外し、２枚のシート片２の境界と重なる目地材５に、カッター等の刃物で切り込みを入れる。シート片２の該端部を引っ張り上げ、シート片２をタイル４と共に躯体床１から取り外す。【選択図】図１
2007120028.tif 000002
【特許請求の範囲】
【請求項１】
躯体床に対して敷設されたタイルの取り外し方法において、
該躯体床とタイルとの間に、複数枚のタイルに跨るシート又は帯が介在しており、該シート又は帯を引っ張り上げることで該タイルを取り外すことを特徴とするタイルの取り外し方法。
【請求項２】
請求項１において、該タイルの目地間隙に樹脂製の目地材が充填されており、該タイルを取り外す領域の周縁の目地材に刃物で切り込みを入れ、その後、該シート又は帯を引っ張り上げることを特徴とするタイルの取り外し方法。
【請求項３】
請求項１又は２において、該タイルと該シート又は帯とが接着剤、両面テープ又はモルタルよりなる接着部材によって点付け接着されていることを特徴とするタイルの取り外し方法。
【請求項４】
請求項２又は３において、該躯体床とタイルとの間に、複数枚のタイルに跨るシート又は帯が介在しており、該目地材及びその下側のシート又は帯に刃物で切り込みを入れ、その後、該シート又は帯を引っ張り上げることを特徴とするタイルの取り外し方法。
【請求項５】
請求項２又は３において、該躯体床とタイルとの間に、複数枚のタイルに跨るシートが介在しており、該シートは複数枚のシート片を躯体床に敷き並べてなるものであり、隣接する該シート片の境界上にある該目地材に刃物で切り込みを入れ、その後、該シート片を引っ張り上げることを特徴とするタイルの取り外し方法。
【発明の詳細な説明】
【技術分野】
【０００１】
本発明は、躯体床に敷設されたタイルの取り外し方法に関するものであり、詳しくは、該タイルを該躯体床から容易に取り外すことができる方法に関する。
【背景技術】
【０００２】
躯体床に敷設されたタイルの取り外し方法として、特開平７−２１７１６７号公報に、躯体床に敷設されたマットの上に、粘着剤によってタイルが張り付けられた床構造において、該タイルを１個ずつ該マットから取り外す方法が記載されている。
【特許文献１】特開平７−２１７１６７号公報
【発明の開示】
【発明が解決しようとする課題】
【０００３】
上記特開平７−２１７１６７号公報のタイルの取り外し方法にあっては、タイルを１個ずつマットから取り外すので、取り外しに手間がかかる。
【０００４】
本発明は、該タイルを該躯体床から容易に取り外すことができるタイルの取り外し方法を提供することを目的とする。
【課題を解決するための手段】
【０００５】
請求項１のタイルの取り外し方法は、躯体床に対して敷設されたタイルの取り外し方法において、該躯体床とタイルとの間に、複数枚のタイルに跨るシート又は帯が介在しており、該シート又は帯を引っ張り上げることで該タイルを取り外すことを特徴とするものである。
【０００６】
請求項２のタイルの取り外し方法は、請求項１において、該タイルの目地間隙に樹脂製の目地材が充填されており、該タイルを取り外す領域の周縁の目地材に刃物で切り込みを入れ、その後、該シート又は帯を引っ張り上げることを特徴とするものである。
【０００７】
請求項３のタイルの取り外し方法は、請求項１又は２において、該タイルと該シート又は帯とが接着剤、両面テープ又はモルタルよりなる接着部材によって点付け接着されていることを特徴とするものである。
【０００８】
請求項４のタイルの取り外し方法は、請求項２又は３において、該躯体床とタイルとの間に、複数枚のタイルに跨るシート又は帯が介在しており、該目地材及びその下側のシート又は帯に刃物で切り込みを入れ、その後、該シート又は帯を引っ張り上げることを特徴とするものである。
【０００９】
請求項５のタイルの取り外し方法は、請求項２又は３において、該躯体床とタイルとの間に、複数枚のタイルに跨るシートが介在しており、該シートは複数枚のシート片を躯体床に敷き並べてなるものであり、隣接する該シート片の境界上にある該目地材に刃物で切り込みを入れ、その後、該シート片を引っ張り上げることを特徴とするものである。
【発明の効果】
【００１０】
本発明のタイルの取り外し方法によると、シート又は帯を引っ張り上げることにより、シートの大きさ分又は帯の長さ分のタイルを一度に取り外すことができ、タイルの取り外しが極めて容易である。
【００１１】
該タイルの目地間隙には樹脂製の目地材が充填されていることが好ましく、この場合、該タイルを取り外す領域の周縁の目地材に刃物で切り込みを入れ、その後、該シート又は帯を引っ張り上げることにより、該取り外し領域内の複数のタイルを容易に取り外すことができる。
【００１２】
該タイルと該シート又は帯とは、接着剤、両面テープ又はモルタルよりなる接着部材によって点付け接着されていることが好ましい。この場合、タイルが点付け接着されていることから、タイルの裏面の全面に接着部材を塗着して接着するのと比べ、タイルをシート又は帯から容易に取り外すことができる。なお、目地間隙の下側に接着部材が存在しない場合、目地材に刃物で切り込みを入れるときに、該目地材と共に接着部材にまで切り込みを入れる必要がなく、切り込み作業が容易である。
【００１３】
該躯体床とタイルとの間に、複数枚のタイルに跨るシート又は帯が介在する場合にあっては、該目地材及びその下側のシート又は帯に刃物で切り込みを入れ、その後、該シート又は帯を引っ張り上げることが好ましい。この場合、シート又は帯を作業し易い適切な大きさに切断して、躯体床から容易に取り外すことができる。
【００１４】
また、該シートは複数枚のシート片を躯体床に敷き並べてなるものであってもよい。この場合、隣接する該シート片の境界上にある該目地材に刃物で切り込みを入れ、その後、該シート片を引っ張り上げることにより、シートに切り込みを入れることなく、作業し易い適切な大きさのシート片を躯体床から取り外すことができる。
【発明を実施するための最良の形態】
【００１５】
以下、図面を参照して実施の形態について説明する。第１図は実施の形態に係るタイルの取り外し方法を説明する断面図であり、第１図（ａ）はタイルを取り外す前の状態を示しており、第１図（ｂ）はタイルを取り外す途中の状態を示している。第２図は第１図（ａ）を上から見た平面図、第３図はタイルの裏面に接着部材を点在させた状態を示す裏面図である。
【００１６】
第１図（ａ）及び第２図の通り、コンクリート製床スラブあるいは土間コンクリート等よりなる躯体床１上に複数枚のシート片２が敷き並べられている。この実施の形態では、第２図の通り、躯体床１とシート片２との間に、接着剤、両面テープ又はモルタルよりなる接着部材６が点在し、該接着部材６によって躯体床１とシート片２とが点付け接着されている。これにより、シート片２が躯体床１上でずれることが防止されると共に、後述する通り、シート片２を躯体床１から容易に引き剥がすことができる。
【００１７】
この接着部材６はシート片２の端部のみ又は端部と中央部に、５０ｃｍ〜２００ｃｍの間隔で塗着されていることが好ましい。この場合、面積が大きすぎることに起因するシート片２の皺やめくれが防止され、面積が小さすぎることに起因するシート片２の剥し難さが防止される。但し、シート片２と躯体床１との接着は省略されていてもよく、シート片２と躯体床１との間にゴムシート等のずれ防止部材を設けてもよい。
【００１８】
このシート片２は不織布よりなることが好ましい。不織布は安価であると共に、透水性があり、タイルとシート片との間に水が溜まることが防止される。該不織布は厚みが０．３ｍｍ〜１．０ｍｍであることが好ましい。０．３ｍｍ以上であると施工時に職人が乗っても皺にならず、１．０ｍｍ以下であると、不織布がロール状に巻かれて癖が付いていても、該不織布の敷設時に端部がめくれることがない。このため、作業性が向上する。該不織布は接着部材６としての接着剤やモルタルが浸透しないものであることが好ましい。この場合、施工時に職人が不織布の上を自由に歩くことができる。
【００１９】
該シート片２上にタイル４が敷設され、該タイル４の目地間隙に目地材５が充填されている。本実施の形態では、第２図の通り、シート片２の横幅（第２図における左右方向の幅）がタイル４の１辺の２倍になっており、各シート片２の上にタイル４が２列に敷設されている。
【００２０】
この目地材５としては、樹脂系の弾性目地材が好適であるが、セメント系目地材などであってもよい。弾性目地材は、後で床材を剥し取るときにカッターで容易に切ることができる。但し、セメント系目地材であっても、床材の剥し取りに格別の支障は生じない。
【００２１】
この実施の形態では、第１図及び第３図（ａ）の通り、３００ｍｍ角のタイル４の裏面の４隅とシート片２との間に、接着剤、両面テープ又はモルタルよりなる接着部材３が点在しており、該接着部材３によって該シート片２とタイル４とが点付け接着されている。このため、接着部材３の厚みによって床面の不陸が吸収され、仕上がり精度が向上する。また、タイル４をシート片２から容易かつ迅速に取り外すことができる。
【００２２】
該接着部材３の点付け個数は、好ましくはタイル１枚当り４点から９点である。接着部材３として接着剤を用いる場合、接着剤１点当りの質量は２０ｇ〜８０ｇであることが好ましい。また、接着部材３としてモルタルを用いる場合、モルタル１点当りの質量は４０ｇ〜１５０であることが好ましい。この場合、施工性及び耐衝撃性が良好であると共に、接着部材３の使用量が少なくなり、経済的である。なお、第３図（ａ）ではタイルの裏面の４隅に接着部材３が設けられており、第３図（ｂ）ではさらに中央に接着部材３が設けられており、第３図（ｃ）ではさらに４辺の中央付近に接着部材３が設けられている。
【００２３】
このように構成されたタイルの施工構造において、躯体床１からタイル４を取り外すには、第１図（ｂ）の通り、必要に応じて１枚のシート片２の端部にあるタイル４をシート片２から取り外す。また、必要に応じて２枚のシート片２の境界と重なる目地材５に、カッター等の刃物で切り込みを入れる。次いで、シート片２の該端部を引っ張り上げる。これにより、シート片２がタイル４と共に躯体床１から取り外される。他のシート片２についても上記と同様にして躯体床１から取り外す。
【００２４】
但し、シート片２の端部以外に位置するタイル４をシート片２から取り外し、あらわれたシート片２を引っ張り上げるようにしてもよい。
【００２５】
本実施の形態のタイルの取り外し方法によると、シート片２を引っ張り上げることにより、シート片２の大きさ分のタイル４を一度に取り外すことができ、タイル４の躯体床１からの取り外しが極めて容易になる。
【００２６】
本実施の形態では、躯体床１の上にシート片２が接着部材６によって点付け接着されているため、シート片２を躯体床１から容易かつ迅速に取り外すことができる。また、このように躯体床１からタイル４の付いたシート片２を迅速に取り外して搬出し得るため、その後のタイルの張り替え等の作業を早期に実施することができる。また、シート片２の上にタイル４が接着部材３によって点付け接着されているため、タイル４をシート片２から容易に取り外すことができる。
【００２７】
本実施の形態では３００ｍｍ角のタイル４を用いたがこれに限定されるものではなく、例えば４００ｍｍ角のタイル４Ａ（第２図（ｂ））や６００ｍｍ角のタイル４Ｂ（第２図（ｃ））であってもよく、長方形やその他の多角形、円形、楕円形等であってもよい。
【００２８】
本実施の形態にあっては、タイル４とシート片２とは、該タイル４と該シート片２との間に点在する接着部材３によって点付け接着されており、目地材５の下側に接着部材３が存在していないため、目地材５に容易に切り込みを入れることができる。
【００２９】
本実施の形態ではシート片２の横幅をタイル４の１辺の２倍としたが、その他の整数倍としてもよい。なお、シート片２をタイル４の１辺の整数倍としなくてもよく、また２枚のシート片２を跨ぐようにしてタイル４を貼り付けてもよい。この場合、カッター等の刃物を用いてシート片２をその上の目地材５と共に切断し、引っ張り上げるのに適当な大きさに分割して躯体床１から取り外してもよい。また、複数のシート片２を躯体床１に敷き並べることに代えて、１枚のシートを躯体床１に敷設してもよい。この場合にあっては、１枚のシートの端部を引っ張り上げて躯体床１から取り外してもよい。また、１枚のシートの面積が大きい等の場合、カッター等の刃物を用いてシートをその上の目地材５と共に切断し、引っ張り上げるのに適当な大きさのシート片に分割した後、各シート片を躯体床１から取り外してもよい。
【００３０】
第４図は異なる実施の形態に係るタイルの取り外し方法を説明する平面図である。第４図では、シート片２に代えて帯１２が用いられている。帯１２としては特に限定はないが、例えば合成樹脂製のテープ状のバンド等が用いられる。
【００３１】
コンクリート製床スラブあるいは土間コンクリート等よりなる躯体床１上に帯１２が間隔をあけて敷き並べられている。この実施の形態では、躯体床１と帯１２との間に、接着剤、両面テープ又はモルタルよりなる接着部材６が点在し、該接着部材６によって躯体床１と帯１２とが点付け接着されている。２本の帯１２を跨ぐようにしてタイル４が敷設され、該タイル４の目地間隙に目地材５が充填されている。第４図の通り、帯１２が縦方向（第４図の上下方向）の目地材５と平行となり、かつ該帯１２が該縦方向の目地材５と重ならないように、タイル４が敷設されている。
【００３２】
図示は省略するが、帯１２の上面とタイル４の裏面とは接着部材３によって点付け接着されている。なお、タイル４のずれを確実に防止するために、さらにタイル４の裏面と躯体床１の上面とが接着部材３によって点付け接着されていてもよい。
【００３３】
このように構成されたタイルの施工構造において、躯体床１からタイル４を取り外すには、必要に応じて帯１２の端部のタイル４を帯１２から取り外す。また、必要に応じて帯１２の長手方向（第４図の縦方向）に延在する目地材５に、カッター等の刃物で切り込みを入れる。この切り込みは、タイル４の大きさ等に応じて、長手方向の目地材５の総てに入れてもよく、数本おきに入れてもよい。次いで、帯１２の該端部を引っ張り上げ、帯１２をタイル４と共に躯体床１から取り外す。他の帯１２についても上記と同様にして躯体床１から取り外す。
【００３４】
本実施の形態にあっては、帯１２の長さ分のタイル４を一度に取り外すことができ、タイル４の取り外しが極めて容易になる。
【００３５】
なお、本実施の形態にあっては、接着部材６及び３が帯１２の下面及び上面に点付けされているが、接着部材６は帯１２の下面の全面に塗着されていてもよく、接着部材３は帯１２の上面の全面に塗着されていてもよい。この場合にあっても、帯１２は幅狭であるため、容易かつ迅速に躯体床１から帯１２を取り外すことができ、また帯１２からタイル４を取り外すことができる。
【図面の簡単な説明】
【００３６】
【図１】実施の形態に係るタイルの取り外し方法を説明する断面図であり、第１図（ａ）はタイルを取り外す前の状態を示す断面図、第１図（ｂ）はタイルを取り外す途中の状態を示す断面図である。
【図２】第１図（ａ）を上から見た平面図である。
【図３】タイルの裏面に接着部材を点在させた状態を示す裏面図である。
【図４】異なる実施の形態に係るタイルの取り外し方法を説明する平面図である。
【符号の説明】
【００３７】
１  躯体床
２  シート片
３，６  接着部材
４，４Ａ，４Ｂ  タイル
５  目地材
１２  帯
【図１】
2007120028.tif 000003
【図２】
2007120028.tif 000004
【図３】
2007120028.tif 000005
【図４】
2007120028.tif 000006